(57)【要約】      （修正有）【課題】火災発生時にダンパーから噴出する流体の勢いを抑えることのできる開口部装置を提供する。【解決手段】横枠及び縦枠１２，１２を枠組みしてなる枠体内に、横框及び縦框を框組みしてなる框体を有した障子を開閉自在に納め、縦枠１２と縦框の間に、障子の開閉補助用の流体を含むダンパー７と、少なくともダンパー７の端部近傍に設けられる加熱発泡材３５とを備え、縦枠１２または縦框には、ダンパー７の端部に対向する位置に受け部３６が設けられ、加熱発泡材３５は受け部３６に配置される。【選択図】図７
2014074316.tif 000002
【特許請求の範囲】
【請求項１】
横枠と縦枠とを枠組みしてなる枠体内に、横框と縦框とを框組みしてなる框体を有した障子を開閉自在に納めた開口部装置において、
前記縦枠と縦框の間に、前記障子の開閉補助用の流体を含むダンパーと、少なくとも前記ダンパーの端部近傍に設けられる加熱発泡材とを備えたことを特徴とする開口部装置。
【請求項２】
前記縦枠または縦框には、前記ダンパーの端部に対向する位置に受け部が設けられ、前記加熱発泡材は前記受け部に配置されることを特徴とする請求項１記載の開口部装置。
【請求項３】
前記受け部には、前記ダンパーの端部と対向し前記ダンパーの長手方向に沿った方向に伸びる対向面部が設けられることを特徴とする請求項２記載の開口部装置。
【請求項４】
前記ダンパーの端部には、前記縦框に対して固定される固定部が設けられ、該固定部と前記受け部とが一体的に形成されてなることを特徴とする請求項２または３記載の開口部装置。
【請求項５】
前記受け部には、周囲部から立ち上がる立壁部が設けられることを特徴とする請求項２〜４のいずれか１項に記載の開口部装置。
【請求項６】
横枠と縦枠とを枠組みしてなる枠体内に、横框と縦框とを框組みしてなる框体を有した障子を開閉自在に納めた開口部装置において、
前記縦枠と縦框の間に、前記障子の開閉補助用の流体を含むダンパーと、少なくとも前記ダンパーの端部近傍に設けられる受け部とを備えたことを特徴とする開口部装置。
【発明の詳細な説明】
【技術分野】
【０００１】
本発明は、建物開口部に設けられる枠体内に障子を開閉自在に納めた開口部装置に関し、特に枠体と障子の対向する空間にダンパーを設けてなる開口部装置に関する。
【背景技術】
【０００２】
建物開口部に設けられる枠体内に障子を開閉自在に納めた開口部装置において、障子の開閉速度を遅くするダンパーが設けられるものがある。例えば、ダンパーのスプリングやガス等の突出力により室外側に傾倒自在な排煙窓では、障子の枠体に対する拘束状態が解除されると、障子の下辺を中心に障子の上辺が自重によって室外側に向かって傾倒するように開いていくが、枠体と障子にそれぞれ固定されたダンパーが開いていく力に対する抵抗力を発生し、障子の開く速度を遅くすることができる。
【０００３】
枠体と障子の間に設けられるダンパーの配置は、枠体及び障子の室内側面にそれぞれ固定される露出型の場合と、枠体と障子の対向する空間内に配置されて枠体の内周面及び障子の外周面にそれぞれ固定される隠蔽型の場合とがある。隠蔽型とすることで、ダンパーが室内側に露出しないようにすることができるため、意匠性を良好にすることができる。このような隠蔽型を採用した開口部装置としては、例えば特許文献１に挙げるようなものがある。
【先行技術文献】
【特許文献】
【０００４】
【特許文献１】実公平４−４８３４３号公報
【発明の概要】
【発明が解決しようとする課題】
【０００５】
ダンパーは、障子の開放に対する抵抗力を発生するため、ピストンとシリンダーを備え、シリンダー内にはオイル、または高圧ガスとオイルが充填されている。火災が発生して開口部装置が高温に晒されると、シリンダー内の圧力が上昇し、内部のオイルがダンパーの隙間から外部に漏れ出して、漏れたオイルに引火するおそれがあった。
【０００６】
本発明は前記課題を鑑みてなされたものであり、火災発生時にダンパーから噴出する流体の勢いを抑えることのできる開口部装置を提供することを目的とする。
【課題を解決するための手段】
【０００７】
前記課題を解決するため、請求項１の発明に係る開口部装置は、横枠と縦枠とを枠組みしてなる枠体内に、横框と縦框とを框組みしてなる框体を有した障子を開閉自在に納めた開口部装置において、
前記縦枠と縦框の間に、前記障子の開閉補助用の流体を含むダンパーと、少なくとも前記ダンパーの端部近傍に設けられる加熱発泡材とを備えたことを特徴として構成されている。
【０００８】
請求項１に係る発明によれば、火災が発生した際にはダンパー近傍の加熱発泡材が発泡して縦枠の内周面と縦框の外周面の間の空間を充填するので、ダンパーの端部から噴出する流体を加熱発泡材で受けることができ、流体の勢いを抑えることができる。
【０００９】
また、請求項２の発明に係る開口部装置は、前記縦枠または縦框には、前記ダンパーの端部に対向する位置に受け部が設けられ、前記加熱発泡材は前記受け部に配置されることを特徴として構成されている。
【００１０】
請求項２に係る発明によれば、加熱発泡材と共に受け部によってダンパーの端部から噴出する流体を加熱発泡材で受けることができる。
【００１１】
さらに、請求項３の発明に係る開口部装置は、前記受け部には、前記ダンパーの端部と対向し前記ダンパーの長手方向に沿った方向に伸びる対向面部が設けられることを特徴として構成されている。
【００１２】
請求項３に係る発明によれば、加熱発泡材が発泡する領域が制限されて、発泡した加熱発泡材の密度を高くすることができ、ダンパー下端部から噴出する流体を確実に受けることができる。
【００１３】
さらにまた、請求項４の発明に係る開口部装置は、前記ダンパーの端部には、前記縦框に対して固定される固定部が設けられ、該固定部と前記受け部とが一体的に形成されてなることを特徴として構成されている。
【００１４】
請求項４に係る発明によれば、受け部のために別の部品を設ける必要がなく、部品点数を少なくすることができる。
【００１５】
そして、請求項５の発明に係る開口部装置は、前記受け部には、周囲部から立ち上がる立壁部が設けられることを特徴として構成されている。
【００１６】
請求項５に係る発明によれば、受け部に付着した流体が外方に流れ出すことがないように堰き止めることができる。
【００１７】
また、請求項６の発明に係る開口部装置は、横枠と縦枠とを枠組みしてなる枠体内に、横框と縦框とを框組みしてなる框体を有した障子を開閉自在に納めた開口部装置において、
前記縦枠と縦框の間に、前記障子の開閉補助用の流体を含むダンパーと、少なくとも前記ダンパーの端部近傍に設けられる受け部とを備えたことを特徴として構成されている。
【００１８】
請求項６に係る発明によれば、火災が発生した際にダンパーの端部から噴出する流体を受け部で受けることができ、流体の勢いを抑えることができる。
【発明の効果】
【００１９】
本発明に係る開口部装置によれば、ダンパーの端部から噴出する流体の勢いを抑えることができ、防火性能を向上させることができる。
【図面の簡単な説明】
【００２０】
【図１】本実施形態における開口部装置の正面図である。
【図２】開口部装置の縦断面図である。
【図３】開口部装置の横断面図である。
【図４】開口部装置の縦断面図であって縦枠と縦框の間の構成も表した図である。
【図５】ダンパーの下端部付近における縦枠の斜視図である。
【図６】火災発生時の状態におけるダンパーの下端部付近斜視図である。
【図７】第２の形態のダンパーの下端部付近における縦枠の斜視図である。
【図８】火災発生時の状態における第２の形態のダンパーの下端部付近斜視図である。
【図９】第３の形態のダンパーの下端部付近における縦枠の斜視図である。
【図１０】火災発生時の状態における第３の形態のダンパーの下端部付近斜視図である。
【図１１】第４の形態のダンパーの下端部付近における縦枠の斜視図である。
【発明を実施するための形態】
【００２１】
本発明の実施形態について図面に沿って詳細に説明する。図１には本実施形態における開口部装置の正面図を示している。この図に示すように、本実施形態の開口部装置は、上枠１０と下枠１１及び左右の縦枠１２，１２を方形状に枠組みしてなる枠体１内に障子２を開閉自在に納めてなるものである。この開口部装置は、障子２の下辺を中心に上辺が室外側に向かって傾倒自在な開き窓として構成されている。
【００２２】
図２には開口部装置の縦断面図を、図３には開口部装置の横断面図を示している。障子２は、上框２０と下框２１及び左右の縦框２２，２２を方形状に框組みしてなる框体３内に、ガラス板からなるパネル体４を納めて構成されている。
【００２３】
上枠１０と下枠１１及び縦枠１２には、それぞれ長手方向に沿って気密材１３が設けられており、気密材１３が障子２の室内側面に当接していることで、枠体１と障子２の間の気密性が確保されている。
【００２４】
上枠１０の内周面１０ａと上框２０の外周面２０ａの間には、開閉機構５が設けられていて、枠体１が障子２を開閉自在に支持している。開閉機構５内には、樹脂製の滑車を介したワイヤーによって、障子２を枠体１側から支持している。一方、下枠１１の内周面１１ａと下框２１の外周面２１ａの間には、ヒンジ部６が設けられており、障子２を枠体１に対して下辺を中心に傾倒自在となるようにしている。
【００２５】
図４には、開口部装置の縦断面図であって縦枠１２と縦框２２の間の構成も表した図を示している。図３と図４に示すように、縦枠１２の内周面１２ａと縦框２２の外周面２２ａの間の空間には、ダンパー７が設けられる。ダンパー７は、縦枠１２と縦框２２にそれぞれ固定され、障子２が開く際には抵抗力を発生し、障子２の開く速度を遅くする開閉補助の機能を有している。
【００２６】
ダンパー７は、下端部に縦枠１２の内周面１２ａに対して当接固定される下端固定面部３０を有し、上端部に縦框２２の外周面２２ａに対して当接固定される上端固定面部３４を有している。下端固定面部３０と上端固定面部３４間には、細長い円筒状の本体部３２が設けられる。本体部３２は可燃性流体、例えばオイルが充填されたシリンダーと、該シリンダー内に配置されるピストンとを内部に有している。また、本体部３２は、下端固定面部３０と上端固定面部３４のそれぞれに対して角度可変とされており、障子２が開閉するのに伴って、下端固定面部３０及び上端固定面部３４に対する角度を変えながら伸縮することができる。
【００２７】
図５には、ダンパー７の下端部付近における縦枠１２の斜視図を示している。縦枠１２は、建物開口部の周面と対向する内周面１２ａと、内周面１２ａから開口部装置の内周側に突出し室内側に面する室内側面１２ｂとを有している。ダンパー７の下端固定面部３０は、縦枠１２の内周面１２ａに対して当接し固定されている。ダンパー７の本体部３２は、下端固定面部３０から突出する下端支持部３１に下端部が回動自在に支持されている。
【００２８】
下端固定面部３０とそれに隣接する縦枠１２の内周面１２ａの上下部には、それぞれシート状の加熱発泡材３５が取付けられている。加熱発泡材３５は、所定温度以上となることで発泡し体積が増加するものである。加熱発泡材３５は、縦枠１２の内周面１２ａ及び下端固定面部３０に設けられていることにより、縦枠１２の内周面１２ａと縦框２２の外周面２２ａの間の空間に臨むように配置されることとなる。
【００２９】
図６には、火災発生時の状態におけるダンパー７の下端部付近斜視図を示している。火災発生時に開口部装置が高温に晒されると、ダンパー７の本体部３２内の内圧が上昇し、本体部３２の下端部からオイルが噴出する可能性があるのに対し、加熱発泡材３５が本体部３２の下端部付近において縦枠１２の内周面１２ａと縦框２２の外周面２２ａとの間の空間を充填し、本体部３２の下端部付近を覆ってしまうので、少なくとも噴出したオイルが縦枠１２の内周面１２ａと縦框２２の外周面２２ａとの間の空間内を下方に落下することがないようにすることができる。この効果を得るためには、加熱発泡材３５は、少なくともダンパー７の下方に配置されている必要があるが、本実施形態のようにダンパー７の下端部付近を囲むように設けてもよい。また、加熱発泡材３５は、ダンパー７から噴出するオイルによって吹き飛ばされてしまう可能性もあるが、二枚重ねなどすることによって、これを防止することができる。
【００３０】
加熱発泡材３５は、それが面する方向に向かって体積を膨張させていくため、縦枠１２の内周面１２ａから縦框２２の外周面２２ａに向かって体積が膨張する。縦枠１２の内周面１２ａと縦框２２の外周面２２ａとの間の間隔は小さいため、発泡した加熱発泡材３５を当該領域内で高密度にすることができ、オイルの流出を確実に防止することが可能となる。
【００３１】
図５と異なる形態で加熱発泡材３５を配置してもよい。図７には、第２の形態のダンパー７の下端部付近における縦枠１２の斜視図を示している。この図に示すように、下端固定面部３０の下端部には、縦枠１２の内周側に向かって突出し上方に向かって面する受け部３６が形成されている。受け部３６の上面には、加熱発泡材３５が載置されている。なお、加熱発泡材３５は受け部３６の上部付近にあればよい。
【００３２】
このように、ダンパー７の下方に受け部３６を設けて、その上面に加熱発泡材３５を設けることにより、加熱発泡材３５をダンパー７の下方に容易に設けることができる。図８には、火災発生時の状態における第２の形態のダンパー７の下端部付近斜視図を示している。この図に示すように、火災発生時には、加熱発泡材３５は面方向に発泡していくため、確実にダンパー７の下部を閉塞してオイルの噴出を防止することができる。加えて、火災時の温度が大幅に上昇することによりダンパー７からオイルが下方に噴出した場合に、受け部３６で噴出したオイルを受けることができ、オイル噴出の勢いを低減することができる。
【００３３】
図９には、第３の形態のダンパー７の下端部付近における縦枠１２の斜視図を示している。この図に示すように、ダンパー７下方の受け部３６に加え、受け部３６からダンパー７の長手方向である上方に伸び、ダンパー７の下端部と水平方向において対向する水平対向面部３７を設けてもよい。この場合にも、受け部３６に加熱発泡材３５が設けられる。
【００３４】
図１０には、火災発生時の状態における第３の形態のダンパー７の下端部付近斜視図を示している。ダンパー７の下端部と対向する水平対向面部３７を設けることにより、加熱発泡材３５の発泡する領域がより限定されるので、発泡した加熱発泡材３５の密度を高くすることができ、より確実にダンパー７から噴出するオイルを受けて外部に流出しないようにすることができる。
【００３５】
図１１には、第４の形態のダンパー７の下端部付近における縦枠１２の斜視図を示している。この図は、火災発生時の状態を表している。この形態では、第３の形態の構成に加えて、受け部３６の周囲部から上方に立ち上がる立壁部３８が形成されている。この立壁部３８によって、受け部３６に付着したオイルが外方に流れ出すことを防止することができ、より確実にオイルの流出を防止することができる。
【００３６】
以上、本発明の実施形態について説明したが、本発明の適用は本実施形態には限られず、その技術的思想の範囲内において様々に適用されうるものである。本実施形態は、外倒しの開き窓について説明したが、内倒し窓や突き出し窓、回転窓など他の種類の開口部装置についても、本発明を適用することができる。また、障子として扉（ドア）を採用することもできる。さらに、受け部３６は縦框２２側に設けられているが、縦枠１２側に設けられていてもよい。また、受け部３６だけでもダンパー７から噴出するオイルの勢いを抑えることができる。
【符号の説明】
【００３７】
１    枠体
２    障子
３    框体
４    パネル体
５    開閉機構
６    ヒンジ部
７    ダンパー
１０    上枠
１１    下枠
１２    縦枠
１３    気密材
２０    上框
２１    下框
２２    縦框
３０    下端固定面部
３１    下端支持部
３２    本体部
３３    上端固定面部
３４    上端支持部
３５    加熱発泡材
３６    受け部
３７    水平対向面部
【図１】
2014074316.tif 000003
【図２】
2014074316.tif 000004
【図３】
2014074316.tif 000005
【図４】
2014074316.tif 000006
【図５】
2014074316.tif 000007
【図６】
2014074316.tif 000008
【図７】
2014074316.tif 000009
【図８】
2014074316.tif 000010
【図９】
2014074316.tif 000011
【図１０】
2014074316.tif 000012
【図１１】
2014074316.tif 000013